(57)【要約】【課題】平面型の表示装置において、樹脂一体成形されたモールドフレームの残存応力に対する形態安定性や強度の向上を図る。【解決手段】モールドフレーム３０は一体に成形され、液晶パネルの縁を囲み支持する。モールドフレーム３０は略矩形の正面形状の枠であり、当該正面形状において少なくとも１つのコーナー部分５０に外側又は内側から途中まで切れ込んだスリット５２、又は当該コーナー部分５０にて隣接する２つの直線部５４ｈ，５４ｖ相互間を接続する屈曲形状の接続部を有する。【選択図】図２
2013235185.tif 000002
【特許請求の範囲】
【請求項１】
矩形の表示パネルと、一体に成形され当該表示パネルの縁を囲み支持する枠であるモールドフレームとを有する表示装置において、
前記モールドフレームは、略矩形の正面形状であり、当該正面形状において少なくとも１つの角に外側又は内側から途中まで切れ込んだスリットを形成されていること、を特徴とする表示装置。
【請求項２】
請求項１に記載の表示装置において、
前記スリットは、前記表示パネルの下辺に沿った前記モールドフレームの直線部の両端の角に外側から形成されること、を特徴とする表示装置。
【請求項３】
矩形の表示パネルと、一体に成形され当該表示パネルの縁を囲み支持する枠であるモールドフレームとを有する表示装置において、
前記モールドフレームは、前記表示パネルの各辺に沿って直線部を有した略矩形の正面形状であり、当該正面形状において少なくとも１つの角に、当該角にて隣接する２つの前記直線部相互間を接続する屈曲形状の接続部を有すること、を特徴とする表示装置。
【請求項４】
請求項３に記載の表示装置において、
前記接続部は前記表示パネルの下辺に沿った前記直線部の両端に設けられ、
前記屈曲形状は開口端を外側に向けた略Ｕ字型であること、
を特徴とする表示装置。
【発明の詳細な説明】
【技術分野】
【０００１】
本発明は、液晶パネルなどの表示パネルを備える表示装置に関する。
【背景技術】
【０００２】
近年、液晶パネルなどの表示パネルを備えた平面型表示装置がテレビジョン受像機や各種モニターなど種々の用途に広く利用されるようになっている。当該表示装置において、表示パネルを支持する枠（フレーム）としてモールドフレームが用いられる。例えば、液晶表示装置は、液晶パネルやバックライトユニットなどをモールドフレームやその他の支持部材（上フレーム、下フレーム）を用いて一体に組み立てられる。
【０００３】
図６はモールドフレームの模式的な正面図である。モールドフレーム２は矩形の表示パネルに対応して概略矩形の枠であり、表示パネルの縁を囲んでこれを支持する。近年はコスト低減のため、モールドフレーム２は合成樹脂を射出成形して一体に形成される。
【先行技術文献】
【特許文献】
【０００４】
【特許文献１】特開２００２−１１６４３０号公報
【発明の概要】
【発明が解決しようとする課題】
【０００５】
ポリプロピレン、ポリスチレン及びポリカーボネートなどの樹脂の射出成形によるモールドフレーム２の製造において、モールドフレーム２内に応力（特に熱応力）が不均一に残存し得る。当該残留応力はモールドフレーム２の形状をゆがめ、反りやねじれを生じ得る。また、クラックを生じるおそれもある。その結果、表示パネルが適切に支持されなくなったり、支持強度が低下したりするという問題を生じ得る。残留応力は枠のコーナー部に比較的集中しやすい。
【０００６】
また、表示装置に落下等により強い衝撃が加わると、表示パネルとモールドフレームとが衝突して表示パネルが壊れるおそれがある。
【０００７】
本発明は上記問題点を解決するためになされたものであり、表示装置においてモールドフレーム内に生じる残留応力の影響を緩和して、形態安定性や強度の向上を図ると共に、衝撃印加時のモールドフレームと表示パネルとの衝突を緩和して表示パネルが壊れにくくすることを目的とする。
【課題を解決するための手段】
【０００８】
本発明に係る表示装置は、矩形の表示パネルと、一体に成形され当該表示パネルの縁を囲み支持する枠であるモールドフレームとを有するものであって、前記モールドフレームは、略矩形の正面形状であり、当該正面形状において少なくとも１つの角に外側又は内側から途中まで切れ込んだスリットを形成されている。
【０００９】
上記表示装置において、前記スリットは、前記表示パネルの下辺に沿った前記モールドフレームの直線部の両端の角に外側から形成されたものとすることができる。
【００１０】
他の本発明に係る表示装置は、矩形の表示パネルと、一体に成形され当該表示パネルの縁を囲み支持する枠であるモールドフレームとを有するものであって、前記モールドフレームは、前記表示パネルの各辺に沿って直線部を有した略矩形の正面形状であり、当該正面形状において少なくとも１つの角に、当該角にて隣接する２つの前記直線部相互間を接続する屈曲形状の接続部を有する。
【００１１】
上記表示装置において、前記接続部は前記表示パネルの下辺に沿った前記直線部の両端に設けられ、前記屈曲形状は開口端を外側に向けた略Ｕ字型とすることができる。
【発明の効果】
【００１２】
本発明によれば、表示パネルの縁を支持するモールドフレームを有する表示装置において、モールドフレームの形態安定性や強度の向上が図れると共に、表示装置への衝撃印加時に表示パネルの破損の可能性を低減することができる。
【図面の簡単な説明】
【００１３】
【図１】本発明の実施形態に係る液晶表示装置の部分断面図である。
【図２】本発明の第１の実施形態に係るモールドフレームのコーナー部分５０の模式的な正面図である。
【図３】本発明の第１の実施形態に係るモールドフレームのコーナー部分５０の模式的な斜視図である。
【図４】本発明の第２の実施形態に係るモールドフレームのコーナー部分５０の模式的な正面図である。
【図５】本発明の第２の実施形態に係るモールドフレームのコーナー部分５０の模式的な斜視図である。
【図６】モールドフレームの模式的な正面図である。
【発明を実施するための形態】
【００１４】
［第１の実施形態］
以下、本発明の実施の形態（以下実施形態という）である液晶表示装置について、図面に基づいて説明する。液晶表示装置は、液晶モジュールを含む主要部及び、外装のカバー・枠、スタンドなどから構成される。
【００１５】
図１は液晶モジュール１２の模式的な垂直断面図であり、ここでは液晶モジュール１２の下端部を含み鉛直方向に沿った部分断面を示している。図１において左側が液晶表示装置の表面、つまり表示面側であり、右側が背面側である。液晶モジュール１２は、液晶パネル、バックライトユニットなどの部品を組み合わせたパネル状の構造体をフレーム部材で支えた構造を有する。
【００１６】
本実施形態では液晶モジュール１２の表面には表示パネルである液晶パネル１４が配置される。液晶パネル１４は、図１には示していないが、その背面側のＴＦＴ（Thin Film Transistor：薄膜トランジスタ）基板及び前面側の対向基板と、それらの間に挟まれた液晶層とを有する。液晶パネル１４は透過型であり、ＴＦＴ基板の背面には下偏光板が配置され、対向基板の前面には上偏光板が配置される。
【００１７】
液晶パネル１４はマトリクス状に配列された複数の画素を有し、当該画素の配列に対応して液晶パネル１４には、垂直方向（列方向）に伸びるソース信号線（データ信号線）が水平方向に複数配列され、また水平方向（行方向）に伸びるゲート信号線（走査信号線）が垂直方向に複数配列される。
【００１８】
液晶モジュール１２は各ソース信号線を駆動するソースドライバ回路、各ゲート信号線を駆動するゲートドライバ回路、及びそれらドライバ回路を制御する制御回路を備える。制御回路は入力される映像信号に基づいてソースドライバ回路及びゲートドライバ回路の動作を制御する。具体的には、各ゲート信号線には水平方向に並ぶ複数のＴＦＴが接続され、ゲートドライバ回路は複数のゲート信号線に順番にゲート信号を出力して、当該ゲート信号線に接続されるＴＦＴをオンする。また、各ソース信号線には垂直方向に並ぶ複数のＴＦＴのソースが接続される。ソースドライバ回路は１走査線に対応する画像データから当該走査線を構成する複数の画素それぞれに対応する信号を生成して複数のソース信号線に出力する。各ソース信号線に出力された画素信号は、ゲート信号によりオンしているＴＦＴのドレインに接続される画素電極に書き込まれ、各画素は書き込まれた画素信号に応じて当該画素における液晶の透過率を制御する。
【００１９】
バックライトユニット１６は液晶パネル１４の背面に対向して配置される。本装置ではバックライトユニット１６はエッジライト方式を採用しており、導光板２０を含む積層体２２と、導光板２０の側面から光を入射する光源２４とを有する。積層体２２は、導光板２０の前面に積層された拡散シート等の光学シート類２６、及び背面に配置された反射シート２８を含む。また、例えば、光源２４は発光ダイオード（Light Emitting Diode：ＬＥＤ）を用いて構成することができ、光源２４はＬＥＤが配列された基板にレンズ等の光学素子を搭載した構造を有する。
【００２０】
液晶パネル１４の外周にはその縁を支持するモールドフレーム３０が設けられる。また、フレーム部材である下フレーム金具３２は液晶モジュール１２の後面を基本的に覆うように設けられ、他のフレーム部材である上フレーム金具３４は液晶モジュール１２の外周に沿った一体の枠に形成される。
【００２１】
モールドフレーム３０は合成樹脂を射出成形して、液晶モジュール１２の外周に沿う一体の枠に形成される。図１に示すモールドフレーム１２はその下辺部分である。モールドフレーム１２は前面及び背面それぞれに、図１の断面にてＬ字型に現れる段差３６，３８を形成される。段差３６によりモールドフレーム３０の前面は内周側が外周側より後側へ後退している。その段差の高さは液晶パネル１４の厚さより大きい。また段差３８によりモールドフレーム３０の背面は内周側が外周側より前側へ後退している。モールドフレームの上辺部分、左辺部分及び右辺部分の断面形状も図１に示す下辺部分の断面形状と基本的に同じである。
【００２２】
下フレーム金具３２はバックライトユニット１６の背面に配置される。下フレーム金具３２はその周縁部が前面側へ折れ曲がった箱形の形状とされ、その内側にバックライトユニット１６が収納される。モールドフレーム３０の背面の段差３８は当該段差３８が形成するモールドフレーム３０の凹部（背面の後退部分）に下フレーム金具３２が嵌るように形成されており、下フレーム金具３２の縁は当該凹部に当接され支持される。
【００２３】
上フレーム金具３４は上下左右各辺にて図１に示すようにＬ字型の断面を有する。例えば図１に示す下辺部分では液晶モジュール１２の前後方向に水平な部分３４ｈと、前方にて上に折れ曲がる前面部分３４ｖとを有する。この上フレーム金具３４の枠内に、上述した液晶パネル１４、バックライトユニット１６、モールドフレーム３０等を組み立てた液晶モジュール１２の主要部が嵌め込まれ、液晶モジュール１２の外周側面は上フレーム金具３４の水平部分３４ｈで覆われ、前面外縁部は前面部分３４ｖで覆われる。
【００２４】
モールドフレーム３０において前面の段差３６の後退面３６ｒが形成された内縁部分３０ｖは液晶パネル１４とバックライトユニット１６との間の隙間に挿入され、緩衝材４０，４２を介して液晶パネル１４の裏面の下縁部及び積層体２２（導光板２０）の前面の下縁部が当該内縁部分３０ｖに当接される。
【００２５】
上フレーム金具３４の前面部分３４ｖはモールドフレーム３０の後退面３６ｒ（内縁部分３０ｖ）に対向する位置まで延び、上フレーム金具３４の前面部分３４ｖとモールドフレーム３０の段差３６とが形成する凹部に液晶パネル１４の外縁部が挿入され支持される。
【００２６】
本実施形態の液晶表示装置におけるモールドフレーム３０は、図６に示すモールドフレーム２と同様、略矩形の正面形状を有する。モールドフレーム３０がモールドフレーム２と異なる点は、略矩形の正面形状の少なくとも１つのコーナー部分５０に外側又は内側から途中まで切れ込んだスリット５２を形成されている点である。スリットを設けることで、コーナー部分５０の柔軟性が増し、これにより、コーナー部分５０におけるモールドフレーム３０の残留応力を緩和したり、当該残留応力で生じ得るモールドフレーム３０の形状のゆがみの影響をコーナー部分５０が変形することにより吸収したりする効果が得られる。
【００２７】
本実施形態では当該スリットはモールドフレーム３０の４辺それぞれの直線部のうち液晶パネル１４の下辺に沿った直線部の両端のコーナー部分５０に外側から形成される。
【００２８】
図２はモールドフレーム３０のコーナー部分５０の一例の模式的な正面図であり、モールドフレーム３０の右下の角を示している。また図３は当該コーナー部分５０の斜視図である。左下の角のスリットは基本的に図２，図３に示すスリット５２と左右対称に形成される。
【００２９】
スリット５２は、コーナー部分５０の外側の角（出隅）と内側の角（入り隅）とを結ぶ線（対角線と称する）に沿って直線状に形成される。図に示す例では、スリット５２はモールドフレーム３０の段差３６を過ぎて内縁部分３０ｖに達している。コーナー部分５０にて隣接するモールドフレーム３０の直線部５４ｈ，５４ｖ（図２，図３においては下辺及び右辺）は、コーナー部分５０の対角線上のスリット５２を形成されずに残存した部分５６でつながる。
【００３０】
スリット５２の深さ（長さＬ）はコーナー部分５０に与える柔軟性と残存部分５６に必要とされる強度とを勘案して定められる。それらを勘案した結果、スリット５２は段差３６よりも手前で止めるのが好適である場合もある。
【００３１】
スリット５２の開口の幅Ｗは、直線部５４ｈ，５４ｖ間の角度θについての柔軟に変化可能な幅Δθに影響を与える。角度θの変化量が大きくなると残存部分５６に生じる応力が大きくなったり、当該部分に塑性変形が生じたりするためΔθには限界があるが、大まかには幅Ｗが大きいほど大きなΔθを実現できる。当該角度幅Δθは、上述した応力緩和等のためにコーナー部分５０に求められる角度変化量に応じて設定される。一般にΔθは所要量及び上述したような限界の観点から比較的小さい値であり、この場合、Δθ〔rad〕＝Ｗ／Ｌにより幅Ｗのおおよその所要量が求められる。
【００３２】
ここで、スリット５２はモールドフレーム３０の内側に配してもよい。液晶表示装置に衝撃が加わると、液晶パネル１４が変位してモールドフレーム３０に接し得る。このとき、両端にスリット５２を配したモールドフレーム３０の直線部は撓みやすいので、接触した液晶パネル１４に与える衝撃を緩和することができる。
【００３３】
一方、液晶表示装置への衝撃は、モールドフレーム３０自体に弾性変形（撓みや振動）を生じ得る。スリット５２を両側に配されたモールドフレーム３０の直線部においては、当該スリット５２が内側に形成されたものよりも外側に形成されたものの方が当該直線部の内側への変形が小さく、外側への変形が大きくなりやすい。そのため、内側にスリット５２が形成された直線部に比較して外側にスリット５２が形成された直線部は、液晶パネル１４との衝突による損傷を発生しにくくなることが期待される。
【００３４】
特に、液晶表示装置の落下や床振動等の縦方向の加速度によって液晶パネル１４は下へずれてモールドフレーム３０の下辺直線部との距離が小さくなりやすいので、下辺両端に外側からのスリット５２を設けることが、上述した液晶パネル１４への緩衝や衝突抑制のために有効である。
【００３５】
なお、スリット５２は１つのコーナー部分５０に複数設けることもできる。また、上記実施形態ではスリット５２の幅Ｗは対角線方向の位置に依らず一定としたが、位置によって幅が変化するスリット形状とすることもでき、例えば、Ｖ字型にすることができる。
【００３６】
［第２の実施形態］
本発明の第２の実施形態に係る液晶表示装置はモールドフレームのコーナー部分の構造が上記第１の実施形態と異なるだけである。よって、第１の実施形態との共通部分については説明を省略し、また同一の符号を用いて表すこととし、以下、相違点を中心に説明する。
【００３７】
本実施形態の液晶表示装置におけるモールドフレーム３０は、液晶パネル１４の各辺に沿って直線部を有した略矩形の正面形状における少なくとも１つのコーナー部分５０に、当該コーナー部分５０にて隣接する２つの直線部相互間を接続する屈曲形状の接続部７０を有する。屈曲形状の接続部を設けることで、第１の実施形態と同様、コーナー部分５０の柔軟性が増し、これにより、コーナー部分５０におけるモールドフレーム３０の残留応力を緩和したり、当該残留応力で生じ得るモールドフレーム３０の形状のゆがみの影響をコーナー部分５０が変形することにより吸収したりする効果が得られる。
【００３８】
本実施形態では当該接続部は液晶パネル１４の下辺に沿った直線部の両端に設けられ、その屈曲形状は開口端を外側に向けた略Ｕ字型に形成される。
【００３９】
図４はモールドフレーム３０のコーナー部分５０の一例の模式的な正面図であり、モールドフレーム３０の右下の角を示している。また図５は当該コーナー部分５０の斜視図である。左下の角の接続部は基本的に図４，図５の接続部７０と対称に形成される。
【００４０】
Ｕ字型の接続部７０の屈曲部７２は、コーナー部分５０の内側の角寄りに位置し、当該屈曲部７２から平行に２本のアーム７４がコーナー部分５０の外側の角へ向けて伸びる。２つのアーム７４はコーナー部分５０の外側の角にて別々の直線部に接続される。具体的には、一方のアーム７４ａは直線部５４ｈに接続され、他方のアーム７４ｂは直線部５４ｖに接続される。これにより接続部７０のＵ字型とは別に、アーム７４ａと直線部５４ｈとがモールドフレーム３０の内側の角に開口部を有する屈曲形状をなし、同様にアーム７４ｂと直線部５４ｖとが内側の角に開口部を有する屈曲形状をなす。
【００４１】
アーム７４ａ，７４ｂ間の隙間７６ａ、アーム７４ａと直線部５４ｈとの隙間７６ｂ、及びアーム７４ｂと直線部５４ｖとの隙間７６ｃそれぞれの幅は、第１の実施形態で述べたΔθの所要量に基づいて設定される。
【００４２】
接続部７０はばねとしての機能を発揮する。屈曲部７２及びアーム７４の太さやアーム７４と直線部５４との接続構造はコーナー部分５０に与える柔軟性・弾性と直線部５４ｈ，５４ｖ間に必要とされる機械的強度とを勘案して定められる。
【００４３】
接続部７０がばねとしての機能を有することにより、両端に接続部７０を配したモールドフレーム３０の直線部は、両端にスリット５２を配した構造より、液晶パネル１４に対する衝撃緩和を好適に実現できる。この観点では、接続部７０のＵ字型は内側の角に開口部を向けてもよい。
【００４４】
隙間７６ａ〜７６ｃの幅Ｇ１〜Ｇ３は同一でなくてもよいし、対角線上の位置に応じて変化させることもできる。例えば、幅Ｇ２，Ｇ３の開口側での値（つまり内側の角での隙間７６ｂ，７６ｃの幅）の和を、隙間７６ａの幅Ｇ１の開口側での値より小さく設定することで、第１の実施形態で述べたスリット５２を外側に設けた場合と類似の効果を実現できる。すなわち、そのような接続部７０を両側に配されたモールドフレーム３０の直線部は、モールドフレーム３０の内側への変形が小さく、外側への変形が大きくなりやすい。よって、直線部が液晶パネル１４と衝突して液晶パネル１４に損傷を与えることが起こりにくくなることが期待される。
【００４５】
特に、液晶表示装置の落下や床振動等の縦方向の加速度によって液晶パネル１４は下へずれてモールドフレーム３０の下辺の直線部との距離が小さくなりやすいので、下辺両端に開口端を外側に向けたＵ字型の接続部７０を設けることが、上述した液晶パネル１４への緩衝や衝突抑制のために有効である。
【００４６】
なお、接続部７０はＵ字型のように屈曲部を１個所有するものに限られず、屈曲部を複数個所備える形状とすることもできる。
【符号の説明】
【００４７】
１２  液晶モジュール、１４  液晶パネル、１６  バックライトユニット、２０  導光板、２２  積層体、２４  光源、２６  光学シート類、２８  反射シート、３０  モールドフレーム、３２  下フレーム金具、３４  上フレーム金具、３６，３８  段差、４０，４２  緩衝材、５０  コーナー部分、５２  スリット、５４ｈ，５４ｖ  直線部、５６  残存部分、７０  接続部、７２  屈曲部、７４  アーム、７６ａ，７６ｂ，７６ｃ  隙間。
【図１】
2013235185.tif 000003
【図２】
2013235185.tif 000004
【図３】
2013235185.tif 000005
【図４】
2013235185.tif 000006
【図５】
2013235185.tif 000007
【図６】
2013235185.tif 000008